【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
水性媒体中に分散されたバインダー、ならびに任意選択の顔料、任意選択の充填材および任意選択の染料を含むインク、基材前処理物、インク受容性コーティングまたはオーバープリントワニスであって；前記バインダーの少なくとも２０ｗｔ％が、各繰り返し単位の１つまたは複数の末端でアミド連結を有するアミド繰り返し単位として特徴付けられ、前記繰り返し単位が、ジカルボン酸モノマー、ラクタムモノマー、アミノカルボン酸モノマーおよびジアミンモノマーから選択されるモノマーのアミド縮合または開環重合によって誘導されており、前記バインダーの少なくとも５ｗｔ％が、最初に各ポリイソシアネートの２つまたはそれ超の末端でウレタンまたは尿素連結の一部であるイソシアネート基をもたらす、ヒドロキシル基またはアミン基と反応したポリイソシアネートから誘導される繰り返し単位として特徴付けられる繰り返し単位である、インク、基材前処理物、インク受容性コーティングまたはオーバープリントワニス。
【請求項２】
前記アミド繰り返し単位の前記１つまたは複数の末端での前記アミド連結の少なくとも２５モル％（より望ましくは５０モル％）が第三級アミド連結として特徴付けられ、前記カルボニル基と結合している窒素も、前記第三級アミド連結の前記窒素と化学結合した２つのさらなる炭化水素基を有する、請求項１に記載のインク、基材前処理物、インク受容性コーティングまたはオーバープリントワニス。
【請求項３】
前記バインダーが、少なくとも２５、３０、４０、５０、６０、７０、８０または９０ｗｔ％の、各繰り返し単位の前記末端で前記１つまたは複数のアミド連結を有する前記アミド繰り返し単位を含む、請求項１または２に記載のインク、基材前処理物、インク受容性コーティングまたはオーバープリントワニス。
【請求項４】
前記バインダーが、前記バインダーの重量に対して少なくとも１０、１５、２０、２５または３０ｗｔ％の、ポリイソシアネートから誘導される前記繰り返し単位を含む、請求項１または２に記載のインク、基材前処理物、インク受容性コーティングまたはオーバープリントワニス。
【請求項５】
ポリイソシアネートから誘導される前記繰り返し単位上の前記ウレタンまたは尿素連結の少なくとも５０モル％（より望ましくは少なくとも６０、７０または８０モル％）が尿素連結である、あるいは、
ポリイソシアネートから誘導される前記繰り返し単位上の前記ウレタンまたは尿素連結の少なくとも５０モル％（より望ましくは少なくとも６０、７０または８０モル％）がウレタン連結である、
請求項１、２、３または４に記載のインク、基材前処理物、インク受容性コーティングまたはオーバープリントワニス。
【請求項６】
着色インクまたは染料含有インクの形態である、請求項１〜５のいずれかに記載のインク、基材前処理物、インク受容性コーティングまたはオーバープリントワニス。
【請求項７】
前記インクが少なくとも１つの染料を含み、好ましくは、
前記インクが、基材と化学結合を形成できる反応基を含む反応性染料を含む、あるいは、
前記インクが少なくとも１つの顔料を含む、
請求項６に記載のインク、基材前処理物、インク受容性コーティングまたはオーバープリントワニス。
【請求項８】
前記インクが、前記インクの重量に対して、１〜２２ｗｔ％の前記バインダー、３．５〜４．５ｗｔ％の顔料、ならびに水および保湿剤を含み、さらに、前記インクが、インクジェット印刷に適切である妥当な粘度およびコロイド安定性のものである、請求項６に記載のインク、基材前処理物、インク受容性コーティングまたはオーバープリントワニス。
【請求項９】
前記インク、基材前処理物、インク受容性コーティングまたはオーバープリントワニスが、基材上の水相がより少ない半多孔質前処理物の形態であり、好ましくは、
前記前処理物が、前記バインダーの重量に対して１〜１２重量％の、前記バインダー中に組み込まれたカチオン性種を含む、
前記前処理物が、前記バインダーの重量に対して少なくとも２重量％の、前記バインダー中に組み込まれた非イオン性コロイド安定化種を含む、
前記前処理物が、乾燥前の前記水性前処理物の重量に対して０．１〜１０重量％のアゼチジニウム（ＡＺＥ）含有ポリマーを含む、あるいは、
前記前処理物が、布地基材と、インクジェット塗布されたインクで形成された画像物との間のフィルム中で乾燥される、
請求項１〜５のいずれかに記載のインク、基材前処理物、インク受容性コーティングまたはオーバープリントワニス。
【請求項１０】
前記インク受容性コーティングより低いインク受容性を有する基材上のインク受容性コーティングである、請求項１〜５のいずれかに記載のインク、基材前処理物、インク受容性コーティングまたはオーバープリントワニス。
【請求項１１】
前記インク受容性コーティングが、前記インク受容性コーティング中の前記バインダーの重量に対して少なくとも１０ｗｔ％の微粒子充填材をさらに含み、好ましくは、
前記バインダーの重量に対して１〜１２重量％の、前記バインダー中に組み込まれたカチオン性種をさらに含む、または
前記バインダーの重量に対して少なくとも２重量％の、前記バインダー中に組み込まれた非イオン性コロイド安定化種をさらに含む、
請求項１０に記載のインク、基材前処理物、インク受容性コーティングまたはオーバープリントワニス。
【請求項１２】
前記インク、基材前処理物、インク受容性コーティングまたはオーバープリントワニスが、基材上の（より望ましくは、基材上の画像物、または基材上のインクジェット塗布された画像物上の）、保護オーバープリントコーティングまたはワニスである、請求項１〜５のいずれかに記載のインク、基材前処理物、インク受容性コーティングまたはオーバープリントワニス。
【請求項１３】
ａ）インクジェット印刷のための前記妥当な粘度範囲で、請求項１〜８のいずれかに記載のインクを形成させるステップと、
ｂ）前記インクをデジタル制御されたインクジェットノズルへ供給するステップと、
ｃ）デジタル制御下で、前記インクジェットノズルから基材上に前記インクをジェッティングして画像物またはテキストを形成させるステップと、
ｄ）任意選択で、前記インクの前記バインダーを架橋させるステップと
を含む、請求項１〜８のいずれかに記載の組成物を基材上にインクジェット印刷するためのプロセス。
【請求項１４】
基材、
前記基材上へ画像物またはテキストの形態で塗布された、請求項１〜８のいずれかに記載のインクジェットインクであるインクジェットインクを含むインクジェット印刷画像物であって、
任意選択で、前記基材と前記インクの間に前処理物をさらに含み、
任意選択で、前記基材と前記インクの間にインク受容性コーティングをさらに含み、
任意選択で、前記インクジェットインクから形成された前記画像物またはテキストの外部表面上（例えば、前記画像物の前記基材から反対側上）に、オーバープリントワニスをさらに含む、インクジェット印刷画像物。
【請求項１５】
基材、
請求項９のいずれかに記載の前記基材上の前処理物、
テキストまたは非テキストの画像物の形態で前記基材上に塗布された、任意選択で請求項１〜８のいずれかに記載のインクである少なくとも１つのインクジェットインクを含むインクジェット印刷画像物であって、
任意選択で、前記基材の前記テキストまたは非テキストの外部表面上にオーバープリントワニスをさらに含む（例えば、前記画像物の前記基材から反対側上であり、前記オーバープリントワニスは、任意選択で、請求項１〜６または１２のいずれかに記載されているものである）、
インクジェット印刷画像物。
【請求項１６】
基材、
前記基材上にテキストまたは非テキストの画像物の形態で塗布された少なくとも１つのインクジェットインクを含むインクジェット印刷画像物であって、
任意選択で、前記基材と前記少なくとも１つのインクの間に前処理物をさらに含み、
前記少なくとも１つのインクジェットインクから形成された前記テキストまたは非テキストの画像物の外部表面上（例えば、前記画像物の前記基材から反対側上）にオーバープリントワニスをさらに含み、
前記オーバープリントワニスが請求項１〜６または１２のいずれかに記載されているものである、インクジェット印刷画像物。
【手続補正２】
【補正対象書類名】明細書
【補正対象項目名】００１９
【補正方法】変更
【補正の内容】
【００１９】
好ましい印刷実施形態では、ポリアミド分散物は、インク、画像物の強度または耐久性を増進させるための印刷前の基材上の前処理物として、印刷するのが困難な基材上の印刷可能な（インク受容性）コーティングとして、印刷された画像物として、または印刷された画像物またはテキスト上の保護コーティングとして使用される。これらの印刷用途は全て、良好な耐摩耗性（abrasion  resistance）、加水分解安定性、耐紫外線性などを有する比較的薄いバインダーを必要とする。そうした特性は、ポリアミドに富んだポリマーから得られる。好ましい基材には、連続または非連続のフィルム（可撓性であることも可撓性でないこともある）、織られた基材、織られていない（例えばスパンボンド、エアレイド、ウエットレイド（wetland）など）基材、従来型の織られた布地（woven  textiles）などが含まれる。本発明の印刷材料は一般に、ポリアミド、任意選択の顔料（着色されたバインダーが望ましい場合）、任意選択の充填材および任意選択の染料を含むポリ尿素またはポリウレタンからのバインダーであって、前処理物中の前記バインダーの少なくとも２０ｗｔ％（より望ましくは少なくとも２５、３０、４０、５０、６０、７０、８０または９０ｗｔ％）が、ジカルボン酸モノマー、ラクタムモノマー、アミノカルボン酸モノマーおよびジアミンモノマーから選択されるモノマーのアミド縮合によって誘導されるアミド繰り返し単位を特徴とするバインダーを含む。一般に、バインダーの少なくとも５、１０または１５ｗｔ％（より望ましくは少なくとも２０、２５または３０ｗｔ％）は、ヒドロキシル基またはアミン基と反応してポリイソシアネートから誘導される各繰り返し単位の２つまたはそれ超の末端で尿素連結またはウレタン連結を生じる、ポリイソシアネートから誘導される繰り返し単位でもある。ポリイソシアネートから誘導される繰り返し単位は、Ｎ−Ｃ−（＝Ｏ）末端基、およびそのＮ−Ｃ−（＝Ｏ）基間にあったポリイソシアネートの残り分からなる。ヒドロキシル基のＯまたはアミン基のＮは含まない。好ましい実施形態では、前記アミド連結の少なくとも２５または５０モル％（より望ましくは少なくとも６０、７０または８０モル％）が第三級アミド連結と特徴付けられる。ここで、アミド連結のカルボニル基と結合している窒素は、前記第三級アミド連結の前記窒素と化学結合した２つのさらなる炭化水素基も有する。本発明の最も広い範囲では、ポリアミドは、第一級アミン基からのアミド繰り返し単位を含むことができる。
一実施形態において、例えば、以下の項目が提供される。
（項目１）
水性媒体中に分散されたバインダー、ならびに任意選択の顔料、任意選択の充填材および任意選択の染料を含むインク、基材前処理物、インク受容性コーティングまたはオーバープリントワニスであって；前記バインダーの少なくとも２０ｗｔ％が、各繰り返し単位の１つまたは複数の末端でアミド連結を有するアミド繰り返し単位として特徴付けられ、前記繰り返し単位が、ジカルボン酸モノマー、ラクタムモノマー、アミノカルボン酸モノマーおよびジアミンモノマーから選択されるモノマーのアミド縮合または開環重合によって誘導されており、前記バインダーの少なくとも５ｗｔ％が、最初に各ポリイソシアネートの２つまたはそれ超の末端でウレタンまたは尿素連結の一部であるイソシアネート基をもたらす、ヒドロキシル基またはアミン基と反応したポリイソシアネートから誘導される繰り返し単位として特徴付けられる繰り返し単位である、インク、基材前処理物、インク受容性コーティングまたはオーバープリントワニス。
（項目２）
前記アミド繰り返し単位の前記１つまたは複数の末端での前記アミド連結の少なくとも２５モル％（より望ましくは５０モル％）が第三級アミド連結として特徴付けられ、前記カルボニル基と結合している窒素も、前記第三級アミド連結の前記窒素と化学結合した２つのさらなる炭化水素基を有する、項目１に記載のインク、基材前処理物、インク受容性コーティングまたはオーバープリントワニス。
（項目３）
前記バインダーが、少なくとも２５、３０、４０、５０、６０、７０、８０または９０ｗｔ％の、各繰り返し単位の前記末端で前記１つまたは複数のアミド連結を有する前記アミド繰り返し単位を含む、項目１または２に記載のインク、基材前処理物、インク受容性コーティングまたはオーバープリントワニス。繰り返し単位が、通常、アミド連結を形成する末端基を有する炭化水素型セグメント（炭素および水素、任意選択で、不飽和、環状、分枝状またはその組合せ（任意選択で、末端基間の原子のモルに基づいて、最大で１０モル％の酸素または窒素のヘテロ原子を有する））である。
（項目４）
前記バインダーが、前記バインダーの重量に対して少なくとも１０、１５、２０、２５または３０ｗｔ％の、ポリイソシアネートから誘導される前記繰り返し単位を含む、項目１または２に記載のインク、基材前処理物、インク受容性コーティングまたはオーバープリントワニス。
（項目５）
ポリイソシアネートから誘導される前記繰り返し単位上の前記ウレタンまたは尿素連結の少なくとも５０モル％（より望ましくは少なくとも６０、７０または８０モル％）が尿素連結である、項目１、２、３または４に記載のインク、基材前処理物、インク受容性コーティングまたはオーバープリントワニス。
（項目６）
ポリイソシアネートから誘導される前記繰り返し単位上の前記ウレタンまたは尿素連結の少なくとも５０モル％（より望ましくは少なくとも６０、７０または８０モル％）がウレタン連結である、項目１、２、３または４に記載のインク、基材前処理物、インク受容性コーティングまたはオーバープリントワニス。
（項目７）
着色インクまたは染料含有インクの形態である、前記項目のいずれかに記載のインク、基材前処理物、インク受容性コーティングまたはオーバープリントワニス。
（項目８）
前記インクが少なくとも１つの染料を含む、項目７に記載のインク、基材前処理物、インク受容性コーティングまたはオーバープリントワニス。
（項目９）
前記インクが少なくとも１つの顔料を含む、項目７に記載のインク、基材前処理物、インク受容性コーティングまたはオーバープリントワニス。
（項目１０）
前記インクが、前記インクの重量に対して、１〜２２ｗｔ％の前記バインダー、３．５〜４．５ｗｔ％の顔料ならびに水および保湿剤を含み、さらに、前記インクが、インクジェット印刷に適切である妥当な粘度およびコロイド安定性のものである、項目７に記載のインク、基材前処理物、インク受容性コーティングまたはオーバープリントワニス。
（項目１１）
前記インクが、基材と化学結合を形成できる反応基を含む反応性染料を含む、項目７または８に記載のインク、基材前処理物、インク受容性コーティングまたはオーバープリントワニス。
（項目１２）
基材上の水相がより少ない半多孔質前処理物の形態である、項目１〜６のいずれかに記載のインク、基材前処理物、インク受容性コーティングまたはオーバープリントワニス。
（項目１３）
前記前処理物が、前記バインダーの重量に対して約１〜約１２重量％の、前記バインダー中に組み込まれたカチオン性種を含む、項目１２に記載のインク、基材前処理物、インク受容性コーティングまたはオーバープリントワニス。
（項目１４）
前記前処理物が、前記バインダーの重量に対して少なくとも約２重量％の、前記バインダー中に組み込まれた非イオン性コロイド安定化種を含む、項目１２に記載のインク、基材前処理物、インク受容性コーティングまたはオーバープリントワニス。
（項目１５）
前記前処理物が、乾燥前の前記水性前処理物の重量に対して約０．１〜約１０重量％のアゼチジニウム（ＡＺＥ）含有ポリマーを含む、項目１２に記載のインク、基材前処理物、インク受容性コーティングまたはオーバープリントワニス。
（項目１６）
前記前処理物が、布地基材と、インクジェット塗布されたインクで形成された画像物との間のフィルム中で乾燥される、項目１２に記載のインク、基材前処理物、インク受容性コーティングまたはオーバープリントワニス。
（項目１７）
前記インク受容性コーティングより低いインク受容性を有する基材上のインク受容性コーティングである、項目１〜６のいずれかに記載のインク、基材前処理物、インク受容性コーティングまたはオーバープリントワニス。
（項目１８）
前記インク受容性コーティングが、前記インク受容性コーティング中の前記バインダーの重量に対して少なくとも１０ｗｔ％の微粒子充填材をさらに含む、項目１７に記載のインク、基材前処理物、インク受容性コーティングまたはオーバープリントワニス。
（項目１９）
前記バインダーの重量に対して約１〜約１２重量％の、前記バインダー中に組み込まれたカチオン性種をさらに含む、項目１７または１８に記載のインク、基材前処理物、インク受容性コーティングまたはオーバープリントワニス。
（項目２０）
前記バインダーの重量に対して少なくとも約２重量％の、前記バインダー中に組み込まれた非イオン性コロイド安定化種をさらに含む、項目１７または１８に記載のインク、基材前処理物、インク受容性コーティングまたはオーバープリントワニス。
（項目２１）
前記インク、基材前処理物、インク受容性コーティングまたはオーバープリントワニスが、基材上の（より望ましくは、基材上の画像物、または基材上のインクジェット塗布された画像物上の）、保護オーバープリントコーティングまたはワニスである、項目１〜６のいずれかに記載のインク、基材前処理物、インク受容性コーティングまたはオーバープリントワニス。
（項目２２）
ａ）インクジェット印刷のための前記妥当な粘度範囲で、項目１〜１１のいずれかに記載のインクを形成させるステップと、
ｂ）前記インクをデジタル制御されたインクジェットノズルへ供給するステップと、
ｃ）デジタル制御下で、前記インクジェットノズルから基材上に前記インクをジェッティングして画像物またはテキストを形成させるステップと、
ｄ）任意選択で、前記インクの前記バインダーを架橋させるステップと
を含む、項目１〜１１のいずれかに記載の組成物を基材上にインクジェット印刷するためのプロセス。
（項目２３）
基材、
前記基材上へ画像物またはテキストの形態で塗布された、項目１〜１１のいずれかに記載のインクジェットインクであるインクジェットインクを含むインクジェット印刷画像物であって、
任意選択で、前記基材と前記インクの間に前処理物をさらに含み、
任意選択で、前記基材と前記インクの間にインク受容性コーティングをさらに含み、
任意選択で、前記インクジェットインクから形成された前記画像物またはテキストの外部表面上（例えば、前記画像物の前記基材から反対側上）に、オーバープリントワニスをさらに含む、インクジェット印刷画像物。
ａ）基材、
項目１２〜１６のいずれかに記載の前記基材上の前処理物、
テキストまたは非テキストの画像物の形態で前記基材上に塗布された、任意選択で項目１〜１１のいずれかに記載のインクである少なくとも１つのインクジェットインクを含むインクジェット印刷画像物であって、
任意選択で、前記基材の前記テキストまたは非テキストの外部表面上にオーバープリントワニスをさらに含む（例えば、前記画像物の前記基材から反対側上であり、前記オーバープリントワニスは、任意選択で、項目１〜７または２１のいずれかに記載されているものである）、
インクジェット印刷画像物。
（項目２４）
基材、
前記基材上にテキストまたは非テキストの画像物の形態で塗布された少なくとも１つのインクジェットインクを含むインクジェット印刷画像物であって、
任意選択で、前記基材と前記少なくとも１つのインクの間に前処理物をさらに含み、
前記少なくとも１つのインクジェットインクから形成された前記テキストまたは非テキストの画像物の外部表面上（例えば、前記画像物の前記基材から反対側上）にオーバープリントワニスをさらに含み、
前記オーバープリントワニスが項目１〜７または２１のいずれかに記載されているものである、インクジェット印刷画像物。